(57)【要約】【課題】映像・音響との対応を多様化し、ディジタル映像のインタラクティブな機能への対応を可能にして、映像・音響に対応した体感を利用者に与える。【解決手段】映像・音響再生装置４と、この映像・音響再生装置で再生される映像・音響ソフトの映像・音響を制御するナビゲーションデータ及びシーン毎に映像と音響に対応する体感制御データが設定された映像・音響・体感制御データディスク等の記録媒体１Ａと、映像・音響に対応させて利用者に体感を与える複数種類の体感要素からなる体感装置７と、映像・音響・体感制御データ記憶ディスク等の記録媒体１Ａより体感制御データとナビゲーションデータを読込み、ナビゲーションデータを映像・音響再生装置４に与えて映像・音響ソフトより再生される映像・音響データを制御し、体感制御データに基づいて体感装置７の該当する体感要素に体感制御信号を出力する制御装置３Ａとを備える。【選択図】　　図４
2004081357.tif 000002
【特許請求の範囲】
【請求項１】
映像・音響再生装置と、
この映像・音響再生装置で再生される映像・音響ソフトの映像・音響を制御するナビゲーションデータ及び映像・音響に合せて体感パターンが設定された映像・音響・体感制御データ記録媒体と、
映像と音響に合せた体感パターンに対応させて体感パターンデータが設定された体感パターンデータ記録媒体と、
映像・音響に対応させて利用者に体感を与える複数種類の体感要素からなる体感装置と、
前記映像・音響・体感制御データ記録媒体より体感パターンとナビゲーションデータを読込み、ナビゲーションデータを前記映像・音響再生装置に入力して前記映像・音響ソフトの映像・音響データを制御し、且つ前記体感パターンデータ記録媒体より読込んだ体感パターンに対応する体感パターンデータを取込んで体感制御データを設定して前記体感装置の該当する体感要素に体感制御信号を出力する制御装置と
を備えたことを特徴とする体感型映像音響システム。
【請求項２】
請求項１記載の体感型映像音響システムにおいて、前記制御装置は、前記映像・音響・体感制御データ記録媒体より読込んだデータに体感パターンがあるか否かを確認し、体感パターンがないときはナビゲーションデータを前記映像・音響再生装置に出力し、体感パターンがあるときは前記映像・音響再生装置にナビゲーションデータを出力すると共に、前記体感パターンデータ記録媒体より該当する体感パターンの体感パターンデータを取込むようにしたことを特徴とする体感型映像音響システム。
【請求項３】
映像・音響再生装置と、
この映像・音響再生装置で再生される映像・音響ソフトの映像・音響を制御するナビゲーションデータ及びシーン毎に映像と音響に対応する体感制御データが設定された映像・音響・体感制御データ記録媒体と、
映像・音響に対応させて利用者に体感を与える複数種類の体感要素からなる体感装置と、
前記映像・音響・体感制御データ記録媒体より体感制御データとナビゲーションデータを読込み、ナビゲーションデータを前記映像・音響再生装置に与えて前記映像・音響ソフトより再生される映像・音響データを制御し、体感制御データに基づいて前記体感装置の該当する体感要素に体感制御信号を出力する制御装置と
を備えたことを特徴とする体感型映像音響システム。
【請求項４】
請求項３記載の体感型映像音響システムにおいて、前記制御装置は、前記映像・音響・体感制御データ記録媒体より読込んだデータに体感制御データがあるか否かを確認し、体感制御データがないときはナビゲーションデータを前記映像・音響再生装置に出力し、体感制御データがあるときは前記映像・音響再生装置にナビゲーションデータを出力すると共に、前記体感制御信号を体感装置の該当する体感要素に出力することを特徴とする体感型映像音響システム。
【請求項５】
映像・音響ソフトより読込んだ映像・音響データ及びナビゲーションデータを読込んで、映像・音響データをナビゲーションデータに基づく制御により映像信号を表示装置に出力すると共に、音響信号を音響装置に出力する映像・音響再生装置と、
映像・音響データとナビゲーションデータに関連付けて設定される体感制御データが構築された体感制御データ記録媒体と、
映像・音響に対応させて利用者に体感を与える複数種類の体感要素からなる体感装置と、
前記映像・音響再生装置で読込んだ映像・音響ソフトの映像・音響データと連動したナビゲーションデータが入力されると、前記体感制御データ記録媒体よりナビゲーションデータに連携した体感制御データを取込んで前記体感装置の該当する体感要素に体感制御信号を出力する体感システム制御装置と
を備えたことを特徴とする体感型映像音響システム。
【請求項６】
請求項５記載の体感型映像音響システムにおいて、体感システム制御装置は、前記体感制御データ記録媒体に前記映像・音響再生装置より入力されるナビゲーションデータに該当する体感制御データの有無を確認し、該当する体感制御データがあるときのみ体感制御データを読込んで前記体感装置の該当する体感に体感制御信号を出力するようにしたことを特徴とする体感型映像音響システム。
【請求項７】
映像・音響ソフトより読込んだ映像・音響データ及びナビゲーションデータを読込んで、映像・音響データをナビゲーションデータに基づく制御により映像信号を表示装置に出力すると共に、音響信号を音響装置に出力する映像・音響再生装置と、
映像・音響データとナビゲーションデータに関連付けて設定された体感パターンが記憶された体感パターンメモリと、
映像と音響に合せた体感パターンに対応させて体感制御データが設定された体感パターンデータ記録媒体と、
映像・音響に対応させて利用者に体感を与える複数種類の体感要素からなる体感装置と、
前記映像・音響再生装置で読込んだ映像・音響ソフトの映像・音響データと連動したナビゲーションデータが入力されると、前記体感パターンメモリよりこのナビゲーションデータと連動した体感パターンを読込み、且つ前記体感パターンデータ記録媒体よりこの体感パターンに対応する体感パターンデータを取込んで前記体感装置の該当する体感要素に体感制御信号を出力する体感システム制御装置と
を備えたことを特徴とする体感型映像音響システム。
【請求項８】
請求項７記載の体感型映像音響システムにおいて、前記体感システム制御装置は、前記体感パターンメモリにナビゲーションデータと連動した体感パターンがあるときのみ前記体感パターンデータ記録媒体より該当する体感パターンデータを読込んで前記体感装置の該当する体感に体感制御信号を出力するようにしたことを特徴とする体感型映像音響システム。
【発明の詳細な説明】
【０００１】
【発明の属する技術分野】
本発明は、ＤＶＤやＶＯＤ等の再生装置により再生された映像・音響に応じた体感を利用者に与える体感型映像音響システムに関する。
【０００２】
【従来の技術】
従来の体感型映像音響システムとしては、例えば特開平３−１２８０８１号公報に示されているようにＶＴＲ等の映像信号再生装置により再生される映像信号に対応した環境を設定する座席ドライブユニット、座席傾斜機構、照明器具、エアーカーテン、発香器、フォッガ、空調機等の環境設定手段を設け、この環境設定手段により映像に同期した環境が体験できるようにしたものがある。
【０００３】
この体感型映像音響システムにおいては、映像再生時には予め設定した各種環境設定手段が自動的に作動し、映像に同期した環境を再現できる。
【０００４】
【発明が解決しようとする課題】
しかし、かかる従来の体感型映像音響システムでは、一本のＶＴＲ等のソフトを最初から最後までを通して再生する方式のものであり、再生途中での一次停止、巻戻し、早送りには対応していない。したがって、再生途中で席を外した場合には、一次停止や巻戻し等して引続き視聴することは困難であった。
【０００５】
そこで、上記体感型映像音響システムにおいて、映像・音響と体感の対応を再生装置のカウンタと、ディジタル映像、音響メディア内の時間データとを同期させることも考えられるが、この場合、ＤＶＤ等のディジタル映像・音響におけるインタラクティブな機能、例えば利用者の選択によりストーリを変化させたり、利用者がシーンのアングルを選択したりすることなどの対応は困難である。
【０００６】
本発明は上記のような事情に鑑みてなされたもので、映像・音響との対応を多様化し、既存の映像・音響ソフトの利用、ＤＶＤ等のディジタル映像におけるインタラクティブな機能への対応を可能にして、映像・音響に対応した体感を利用者に与えることができる体感型映像音響システムを提供することを目的とする。
【０００７】
【課題を解決するための手段】
本発明は上記の目的を達成するため、次のような手段により体感型映像音響システムを構成する。
【０００８】
請求項１に対応する発明は、映像・音響再生装置と、この映像・音響再生装置で再生される映像・音響ソフトの映像・音響を制御するナビゲーションデータ及び映像・音響に合せて体感パターンが設定された映像・音響・体感制御データ記録媒体と、映像と音響に合せた体感パターンに対応させて体感パターンデータが設定された体感パターンデータ記録媒体と、映像・音響に対応させて利用者に体感を与える複数種類の体感要素からなる体感装置と、前記映像・音響・体感制御データ記録媒体より体感パターンとナビゲーションデータを読込み、ナビゲーションデータを前記映像・音響再生装置に入力して前記映像・音響ソフトの映像・音響データを制御し、且つ前記体感パターンデータ記録媒体より読込んだ体感パターンに対応する体感パターンデータを取込んで体感制御データを設定して前記体感装置の該当する体感要素に体感制御信号を出力する制御装置とを備える。
【０００９】
請求項２に対応する発明は、請求項１に対応する発明の体感型映像音響システムにおいて、前記制御装置は、前記映像・音響・体感制御データ記録媒体より読込んだデータに体感パターンがあるか否かを確認し、体感パターンがないときはナビゲーションデータを前記映像・音響再生装置に出力し、体感パターンがあるときは前記映像・音響再生装置にナビゲーションデータを出力すると共に、前記体感パターンデータ記録媒体より該当する体感パターンの体感パターンデータを取込むようにしたものである。
【００１０】
請求項３に対応する発明は、映像・音響再生装置と、この映像・音響再生装置で再生される映像・音響ソフトの映像・音響を制御するナビゲーションデータ及びシーン毎に映像と音響に対応する体感制御データが設定された映像・音響・体感制御データ記録媒体と、映像・音響に対応させて利用者に体感を与える複数種類の体感要素からなる体感装置と、前記映像・音響・体感制御データ記録媒体より体感制御データとナビゲーションデータを読込み、ナビゲーションデータを前記映像・音響再生装置に与えて前記映像・音響ソフトより再生される映像・音響データを制御し、体感制御データに基づいて前記体感装置の該当する体感要素に体感制御信号を出力する制御装置とを備える。
【００１１】
請求項４に対応する発明は、請求項３に対応する発明の体感型映像音響システムにおいて、前記制御装置は、前記映像・音響・体感制御データ記録媒体より読込んだデータに体感制御データがあるか否かを確認し、体感制御データがないときはナビゲーションデータを前記映像・音響再生装置に出力し、体感制御データがあるときは前記映像・音響再生装置にナビゲーションデータを出力すると共に、前記体感制御信号を体感装置の該当する体感要素に出力するようにしたものである。
【００１２】
請求項５に対応する発明は、映像・音響ソフトより読込んだ映像・音響データ及びナビゲーションデータを読込んで、映像・音響データをナビゲーションデータに基づく制御により映像信号を表示装置に出力すると共に、音響信号を音響装置に出力する映像・音響再生装置と、映像・音響データとナビゲーションデータに関連付けて設定される体感制御データが構築された体感制御データ記録媒体と、映像・音響に対応させて利用者に体感を与える複数種類の体感要素からなる体感装置と、前記映像・音響再生装置で読込んだ映像・音響ソフトの映像・音響データと連動したナビゲーションデータが入力されると、前記体感制御データ記録媒体よりナビゲーションデータに連携した体感制御データを取込んで前記体感装置の該当する体感要素に体感制御信号を出力する体感システム制御装置とを備える。
【００１３】
請求項６に対応する発明は、請求項５に対応する発明の体感型映像音響システムにおいて、体感システム制御装置は、前記体感制御データ記録媒体に前記映像・音響再生装置より入力されるナビゲーションデータに該当する体感制御データの有無を確認し、該当する体感制御データがあるときのみ体感制御データを読込んで前記体感装置の該当する体感に体感制御信号を出力するようにしたものである。
【００１４】
請求項７に対応する発明は、映像・音響ソフトより読込んだ映像・音響データ及びナビゲーションデータを読込んで、映像・音響データをナビゲーションデータに基づく制御により映像信号を表示装置に出力すると共に、音響信号を音響装置に出力する映像・音響再生装置と、映像・音響データとナビゲーションデータに関連付けて設定された体感パターンが記憶された体感パターンメモリと、映像と音響に合せた体感パターンに対応させて体感制御データが設定された体感パターンデータ記録媒体と、映像・音響に対応させて利用者に体感を与える複数種類の体感要素からなる体感装置と、前記映像・音響再生装置で読込んだ映像・音響ソフトの映像・音響データと連動したナビゲーションデータが入力されると、前記体感パターンメモリよりこのナビゲーションデータと連動した体感パターンを読込み、且つ前記体感パターンデータ記録媒体よりこの体感パターンに対応する体感パターンデータを取込んで前記体感装置の該当する体感要素に体感制御信号を出力する体感システム制御装置とを備える。
【００１５】
請求項８に対応する発明は、請求項７に対応する発明の体感型映像音響システムにおいて、前記体感システム制御装置は、前記体感パターンメモリにナビゲーションデータと連動した体感パターンがあるときのみ前記体感パターンデータ記録媒体より該当する体感パターンデータを読込んで前記体感装置の該当する体感に体感制御信号を出力するようにしたものである。
【００１６】
【発明の実施の形態】
以下本発明の実施の形態を図面を参照して説明する。
【００１７】
図１は本発明による体感型映像音響システムの第１の実施形態を示すブロック回路構成図である。
【００１８】
図１において、１は既存のＤＶＤ等の映像・音響ソフトの映像・音響を確認しながら、映像・音響に対応する体感パターン及びナビゲーションデータが構築された映像・音響・体感制御データディスク等の記録媒体、２は予め基本的な映像・音響に対応した体感パターンデータを設定して構築された体感パターンデータディスク等の記録媒体である。
【００１９】
ここで、体感パターンとは、映像・音響に合せて設定されるもので、例えば落下のシーンには体感パターンとして落下が設定される。
【００２０】
映像・音響に対応した体感パターンデータとは、シーン毎に例えば落下、上昇、雷、霧、喜怒哀楽、火災、森林等の基本的な映像と音響に対応した例えば風、光、香り、煙、温度、空調、ボディソニック、振動等の体感要素をパターン化したデータである。
【００２１】
また、ナビゲーションデータとは、映像・音響を制御するデータであり、映像・音響・体感データ中で別途設定するデータと、ＤＶＤ等の既存に設定されたデータを含む。
【００２２】
３は映像・音響・体感制御データディスク等の記録媒体１より体感パターン及びナビゲーションデータを読込み、且つ体感パターンデータディスク等の記録媒体２より体感パターンに対応する体感パターンデータを取込んで体感制御パターンを設定して体感制御信号を出力すると同時にナビゲーションデータを出力する制御装置である。
【００２３】
一方、４はＤＶＤ又はＶＯＤ等の音響ソフトを再生する映像・音響再生装置で、この映像・音響再生装置４は、例えばＤＶＤより読込んだディジタル映像・音響データを基に、制御装置３より入力されるナビゲーションデータに基づく制御により表示装置５に映像信号を出力すると同時に音響装置６に音響信号を出力するものである。
【００２４】
また、７は空調７ａ、香り発生装置７ｂ、煙発生装置７ｃ、光源７ｄ、送風機７ｅ、椅子に振動を与える振動装置７ｆ等の体感要素からなる体感装置で、この体感装置７は制御装置３より出力される映像・音響に対応した体感制御信号が入力されると該当する体感要素が駆動制御されるものである。
【００２５】
次に上記のように構成された体感型映像音響システムの作用を図２に示す処理フローに基づいて説明する。
【００２６】
いま、映像・音響・体感制御データディスク等の記録媒体１に映像・音響データ及び体感制御データを関連付けて制御するナビゲーションデータ及び体感パターンが設定され、また体感パターンデータディスク等の記録媒体２には例えば図示するようにパターンＮｏに対応する各シーンに各体感要素に対してＯＮ（体感発生）、ＯＦＦ（体感を発生させない）の何れかを設定した体感パターンデータが設定され構築されているものとする。この場合、ナビゲーションデータに対応した体感が無い場合には各体感要素（風、香り、光…煙）のすべてをＯＦＦとした体感パターンデータが設定されている。
【００２７】
このような状態で制御装置３及び映像・音響再生装置４が起動されると、ステップＳ１０にて映像・音響・体感制御データディスク等の記録媒体１より体感パターンとナビゲーションデータを読込み、ナビゲーションデータは映像・音響再生装置４に入力される。このとき映像・音響再生装置４は映像・音響データ読込み部４ａにより市販のＤＶＤ等の映像・音響ソフトの映像・音響データを読込み、この映像・音響データを基に映像・音響信号出力部４ｂよりナビゲーションデータに基づく制御により映像・音響信号を出力し、スクリーン等の表示装置５に映像が表示されると同時にスピーカ等の音響装置６より音が出される。
【００２８】
また、ステップＳ１１にて体感パターンデータディスク等の記録媒体２よりステップＳ１０にて読込んだ体感パターンに対応する体感パターンデータを取込む。
【００２９】
例えば、ステップＳ１０で読込んだ体感パターンがパターンＮｏ．００２の落下シーンであるとすると、ステップＳ１１では体感パターンデータディスク等の記録媒体２よりシーンが落下に対応するパターンデータ、風ＯＮ、香りＯＦＦ、光ＯＦＦ、…煙ＯＦＦの体感パターンデータを取込んで体感制御データを設定し、ステップＳ１２にて体感装置７の該当する体感要素に体感制御信号を与える。ここでは、風に該当する体感制御データなので、風発生装置（送風機）７ｅがドライブユニットを介して駆動制御される。
【００３０】
このように第１の実施形態では、映像・音響・体感制御データディスク等の記録媒体１に体感パターン及びナビゲーションデータを設定し、また体感パターンデータディスク等の記録媒体２に基本的な映像・音響パターンに対応した体感パターンデータを設定しておき、映像・音響再生装置４にて上記と同じ映像・音響ソフトの再生時に制御装置３を起動することにより、映像・音響・体感制御データディスク等の記録媒体１より体感パターンとナビゲーションデータを読込んで、ナビゲーションデータに基づく制御により映像・音響信号を出力し、また体感パターンデータディスク等の記録媒体２より体感パターンに該当する体感パターンデータを取込んで、体感制御データを設定して体感制御信号により該当する体感要素を駆動制御するようにしたものである。
【００３１】
従って、映像・音響・体感制御データにより映像・音響と体感の両者を同時に制御して再生することができるので、映像・音響に対応した体感を利用者に与えることができる。
【００３２】
また、映像・音響を視聴並びに体感中に施設外に一次退出する場合に映像・音響の一次停止、巻戻し、早送り及びインタラクティブ機能（マルチアングル、マルチストーリー等）にも対応させることが可能である。
【００３３】
本実施形態では、体感パターンを用いているので、映像・音響に対応した体感の設定時に各シーン毎に各体感要素すべてを設定する必要がなく、各シーンに対応した体感パターンを設定すればよいので、体感設定作業の効率化を図ることができる。
【００３４】
また、体感を発生しない場合、体感要素のすべてをＯＦＦとしたデータを用いることで、体感データ（パターン）の有無を確認する必要がないため、システム及び処理の簡素化を図り得る。
【００３５】
さらに、映像・音響・体感制御データにより映像・音響と体感を一元的に制御するため、映像・音響と体感の連携の確保が容易であり、映像・音響側のシステムも、従来ＤＶＤ内のナビゲーションデータにより制御していたものを、外部の映像・音響・体感制御データのナビゲーションデータにより制御するため、基本的にシステムを変更することなく対応させることができる。
【００３６】
図３は本発明による体感型映像音響システムの第２の実施形態における処理フローを示す図である。なお、体感型映像音響システムの構成は図１と同様であり、また処理フローも図２と同一処理ステップは同一符号を付してその説明を省略し、ここでは異なる処理ステップについて述べる。
【００３７】
第２の実施形態では、ステップＳ１０にて映像・音響・体感制御データディスク等の記録媒体１より体感パターンとナビゲーションデータを読込み、ステップＳ１０Ａにてナビゲーションデータに連動する体感パターンの有無を確認する。
【００３８】
このステップＳ１０Ａで体感データが無いと判定されると、ナビゲーションデータのみを出力し、映像・音響再生装置４により映像・音響に関する処理のみを行なう。
【００３９】
また、体感パターンがあると判定されると、ナビゲーションデータの出力と共に、ステップＳ１１にて体感パターンに対応する体感パターンデータを体感パターンデータディスク等の記録媒体２より取込み、第１の実施形態と同様の体感制御処理が行なわれる。
【００４０】
従って、このような構成としてもナビゲーションデータと連動する体感パターンがある場合だけ、その体感パターンに対応する体感パターンデータを体感パターンデータディスク等の記録媒体２より取込んで体感制御処理を行なうようにしたので、第１の実施形態と同様の作用効果が得られることに加え、体感パターンを発生しない場合には、体感データ（体感パターン）の設定が不要で、必要な体感データを設定するだけでよいので、体感設定作業の効率化を図ることができると共に、データ要領も縮小化できる。
【００４１】
図４は本発明による体感型映像音響システムの第３の実施形態を示すブロック回路構成図である。
【００４２】
図４において、１Ａは既存のＤＶＤ等の映像・音響ソフトの画像・音声を確認しながら、体感制御データ及びナビゲーションデータが設定され構築された映像・音響・体感制御データディスク等の記録媒体である。
【００４３】
ここで、体感制御データとは、例えば落下、上昇、雷、霧、喜怒哀楽、火災、森林等の基本的な映像と音響に対応した例えば風、光、香り、煙、温度、空調、ボディソニック、振動等の体感要素を制御するデータで、ナビゲーションデータに対応する体感制御データがある場合にはＯＮ、ナビゲーションデータに対応する体感制御データがない場合にはＯＦＦが設定されている。
【００４４】
また、３Ａは映像・音響・体感制御データディスク等の記録媒体１Ａより体感制御データ及びナビゲーションデータを読込み、ナビゲーションデータと体感制御データに振分けてそれぞれ出力制御する制御装置である。
【００４５】
一方、４は映像・音響再生装置で、この映像・音響再生装置４は、ＤＶＤ等より読込んだ映像・音響データを基に、制御装置３Ａより入力されるナビゲーションデータに基づく制御により表示装置５に映像信号を出力すると同時に音響装置６に音響信号を出力するものである。
【００４６】
また、７は空調７ａ、香り発生装置７ｂ、煙発生装置７ｃ、光源７ｄ、送風機７ｅ、椅子に振動を与える振動装置７ｆ等の体感要素からなる体感装置で、この体感装置７は制御装置３Ａより出力されるナビゲーションデータに連動した体感制御信号により該当する体感要素が駆動制御されるものである。
【００４７】
次に上記のように構成された体感型映像音響システムの作用を図５に示す処理フローに基づいて説明する。
【００４８】
制御装置３Ａ及び映像・音響再生装置４が起動されると、ステップＳ２０にて映像・音響・体感制御データディスク等の記録媒体１Ａより体感制御データとナビゲーションデータを読込み、映像・音響を制御するナビゲーションデータは映像・音響再生装置４に入力される。このとき映像・音響再生装置４は映像・音響読込み部４ａにより市販のＤＶＤ等の映像・音響ソフトの映像・音響データを読込み、この映像・音響データを基に映像・音響信号出力部４ｂよりナビゲーションデータに基づく制御により映像・音響信号を出力し、スクリーン等の表示装置５に映像が表示されると同時にスピーカ等の音響装置６にて音が出される。
【００４９】
また、ステップＳ２１にてナビゲーションデータと連動して読込んだ体感制御データを基に体感装置７の各体感要素に制御信号を出力する。
【００５０】
例えば、ステップＳ２０で読込んだナビゲーションデータに連動する体感制御データとして風がＯＮ、香りがＯＮ、光がＯＦＦ、…、煙がＯＮであるとすると、ステップＳ２１では、体感装置７の該当する体感要素に体感制御信号を与える。ここでは、風、香り、煙がＯＮなので、風発生装置（送風機）７ｅ、香発生装置７ｂ、…、煙発生装置７ｃがドライブユニットを介してそれぞれ駆動制御される。
【００５１】
このように第３の実施形態では、映像・音響・体感制御データディスク等の記録媒体１Ａに映像・音響データ及び体感制御データを関連付けて制御するデータをナビゲーションデータに対応させて設定し、制御装置４Ａよりナビゲーションデータを映像・音響再生装置４に与えて映像・音響信号を制御すると共に、ナビゲーションデータと連動して読込んだ体感制御データを基に体感装置７の各体感要素を制御するようにしたので、第１の実施形態の作用効果に加えて、体感制御データを用いることにより、映像・音響に対応した体感の設定時に各シーン毎に各体感要素の設定ができるので、詳細な設定が可能となる。
【００５２】
図６は本発明による体感型映像音響システムの第４の実施形態における処理フロー図である。なお、体感型映像音響システムの構成は図４と同様であり、また処理フローも図５と同一処理ステップは同一符号を付してその説明を省略し、ここでは異なる処理ステップについて述べる。
【００５３】
第４の実施形態では、ステップＳ２０にて映像・音響・体感制御データディスク等の記録媒体１より体感制御データとナビゲーションデータを読込み、ステップＳ２０Ａにてナビゲーションデータに連動する体感制御データの有無を確認する。
【００５４】
このステップＳ２０Ａで体感制御データが無いと判定されると、ナビゲーションデータのみを出力し、映像・音響再生装置４により映像・音響に関する処理のみを行なう。
【００５５】
また、体感制御データがあると判定されると、ナビゲーションデータの出力と共に、ステップＳ２１にて体感制御データに該当する体感要素に対して、第３の実施形態と同様の体感制御処理が行なわれる。
【００５６】
従って、このような構成としてもナビゲーションデータに対応する体感制御データの有無を判定して体感制御データがあるときのみ該当する体感要素を駆動制御するようにしたので、第３の実施形態と同様の作用効果を得ることができる。
【００５７】
図７は本発明による体感型映像音響システムの第５の実施形態を示すブロック回路構成図である。
【００５８】
図７において、１１は映像・音響再生装置で、この映像・音響再生装置１１は、ＤＶＤ等の映像・音響ソフトより読込んだ映像・音響データ及びナビゲーションデータを読込んで、映像・音響データをナビゲーションデータに基づく制御により映像信号をスクリーン等の表示装置１２に出力すると共に、音響信号をスピーカ等の音響装置１３に出力するものである。
【００５９】
また、１４は予め映像・音響データとナビゲーションデータを介して関連付けられた体感制御データが構築された体感制御データディスク等の記録媒体である。
【００６０】
さらに、１５は体感システム制御装置で、この体感システム制御装置１５は映像・音響再生装置１１で読込んだＤＶＤ等の映像・音響ソフトの映像・音響データと連動したナビゲーションデータが入力されると、体感制御データディスク等の記録媒体１４よりナビゲーションデータに連携した体感制御データを取込んで体感制御信号を出力するものである。
【００６１】
一方、１６は空調１６ａ、香り発生装置１６ｂ、煙発生装置１６ｃ、光源１６ｄ、送風機１６ｅ、椅子に振動を与える振動装置１６ｆ等の体感要素からなる体感装置で、この体感装置１６の各体感要素は体感システム制御装置１４より出力される体感制御信号により駆動制御されるものである。
【００６２】
次に上記のように構成された体感型映像音響システムの作用を図８に示す処理フローに基づいて説明する。
【００６３】
いま、体感制御データディスク等の記録媒体１４にナビゲーションデータＮｏに対応する各体感要素に対してＯＮ（体感発生）、ＯＦＦ（体感を発生させない）の何れかを設定した体感制御データが構築されているものとする。この場合、ナビゲーションデータＮｏに対応した体感が無い場合には各体感要素（風、香り、光…煙）のすべてをＯＦＦとした体感制御データが設定されている。
【００６４】
このような状態で映像・音響再生装置１１及び体感システム制御装置１５が起動されると、映像・音響再生装置１１では映像・音響・ナビゲーションデータ読込み部１１ａによりＤＶＤ等の映像・音響ソフトの映像・音響・ナビゲーションデータを読込み、その映像・音響データ及びこれら映像・音響データを制御するナビゲーションデータが映像・音響信号出力部１１ｂに加えられ、この映像・音響信号出力部１１ｂよりナビゲーションデータによる制御に基づき映像信号をスクリーン等の表示装置１２に出力して映像を表示し、また音響信号をスピーカ等の音響装置１３に出力して音を発する。
【００６５】
一方、映像・音響・ナビゲーションデータ読込み部１１ａに読込まれたナビゲーションデータをナビゲーションデータ出力部１１ｃより体感システム制御装置１５に出力する。この体感システム制御装置１５では、ステップＳ３０により映像・音響データと連動したナビゲーションデータを読込み、ステップＳ３１にて体感制御データディスク等の記録媒体１４よりナビゲーションデータと連携した体感制御データを読込み、ステップＳ３２にてこの体感制御データを基に体感装置１６に体感制御信号を出力し、該当する体感要素をドライブユニットを介して駆動する。
【００６６】
このように第５の実施形態では、ＤＶＤ等の映像・音響ソフトの再生により抽出されたナビゲーションデータに対応した体感制御データを体感制御データディスク等の記録媒体１４より読込んで、体感装置１６の該当する体感要素を駆動制御するようにしたので、映像・音響に対応した体感を利用者に与えることができる。
【００６７】
また、映像・音響の一次停止、巻戻し、早送りに対応でき、インタラクティブ機能により、ナビゲーションデータが変更され、映像・音響の再生順序が変更された場合でも、映像・音響データがナビゲーションデータと連携しているため、変更された映像・音響に対応した体感を利用者に与えることが可能となる。
【００６８】
本実施形態では、体感制御データを用いることにより、映像・音響に対応した体感の設定時に各シーン毎に各体感要素を設定することができるので、詳細な設定が可能となる。
【００６９】
また、体感を発生しない場合、体感要素のすべてをＯＦＦとしたデータを用いることで、体感データ（パターン）の有無を確認する必要がないため、システム及び処理の簡素化を図り得る。
【００７０】
さらに、映像・音響と体感の連携をナビゲーションデータにより行なうため、体感データ設定時にナビゲーションデータを取込む必要がなく、作業の効率化、データ要領の削減が可能となる。
【００７１】
図９は本発明による体感型映像音響システムの第６の実施形態における処理フローを示す図である。なお、体感型映像音響システムの構成は図７と同様であり、また処理フローも図８と同一処理ステップは同一符号を付してその説明を省略し、ここでは異なる処理ステップについて述べる。
【００７２】
第６の実施形態では、ステップＳ３０により映像・音響データと連動したナビゲーションデータを読込んだ後、ステップＳ３０Ａにて体感制御データディスク等の記録媒体１４より体感制御データを取込んだ後、ステップＳ３１で該当する体感制御データがないと判定されると、体感制御データを出力しない。また、該当する体感制御データがあると判定されると、ステップＳ３２にてこの体感制御データを基に体感装置１６に体感制御信号を出力し、該当する体感要素をドライブユニットを介して駆動する。
【００７３】
このような構成としてもＤＶＤ等の映像・音響ソフトの再生により抽出したナビゲーションデータに該当する体感制御データが体感制御データディスク等の記録媒体１４にあるか否か判定し、体感制御データＮｏがあるときのみナビゲーションＮｏに対応した体感制御データを体感制御データディスク等の記録媒体１４より読込んで、体感装置１６の該当する体感要素を駆動制御するようにしたので、第５の実施形態と同様の作用効果を得ることができる。
【００７４】
図１０は本発明による体感型映像音響システムの第７の実施形態を示すブロック回路構成図である。
【００７５】
図１０において、２１は映像・音響再生装置で、この映像・音響再生装置２１は、ＤＶＤ等の映像・音響ソフトより読込んだ映像・音響データ及びナビゲーションデータを読込んで、映像・音響データをナビゲーションデータに基づく制御により映像信号をスクリーン等の表示装置２２に出力すると共に、音響信号をスピーカ等の音響装置２３に出力するものである。
【００７６】
また、２４は予め基本的な映像・音響のパターンに対応した体感パターンデータを構築する体感パターンデータディスク等の記録媒体、２５は予め映像・音響データとナビゲーションデータを介して関連付けられた体感パターンが記憶された体感パターンメモリである。
【００７７】
２６は体感システム制御装置で、この体感システム制御装置２６は映像・音響再生装置２１で読込んだＤＶＤ等の映像・音響ソフトの映像・音響データと連動したナビゲーションデータが入力されると、体感パターンメモリ２５よりこのナビゲーションデータに対応した体感パターンを取込む共に、この体感パターンに対応する体感パターンデータを体感パターンデータディスク等の記録媒体２４より取込んで、体感制御データを設定し、この体感制御データを基に体感制御信号を出力するものである。
【００７８】
一方、２７は空調２７ａ、香り発生装置２７ｂ、煙発生装置２７ｃ、光源２７ｄ、送風機２７ｅ、椅子に振動を与える振動装置２７ｆ等の体感要素からなる体感装置で、この体感装置２７は体感システム制御装置２６より出力される体感制御信号により該当する体感要素が駆動制御されるものである。
【００７９】
次に上記のように構成された体感型映像音響システムの作用を図１１に示す処理フローに基づいて説明する。
【００８０】
映像・音響再生装置２１及び体感システム制御装置２６が起動されると、映像・音響再生装置２１では映像・音響及びナビゲーションデータ読込み部２１ａによりＤＶＤ等の映像・音響ソフトより映像・音響及びナビゲーションデータを読込み、その映像・音響データ及びこれら映像・音響データを制御するナビゲーションデータを映像・音響信号出力部２１ｂに加え、この映像・音響信号出力部２１ｂよりナビゲーションデータによる制御に基づき映像信号を表示装置２２に出力してスクリーン等に映像を表示し、また音響信号をスピーカ等の音響装置２３に出力して音を発する。
【００８１】
一方、映像・音響及びナビゲーションデータ読込み部２１ａで読込まれたナビゲーションデータをナビゲーションデータ出力部２１ｃより体感システム制御装置２６に出力する。この体感システム制御装置２６では、ステップＳ４０により映像・音響データと連動したナビゲーションデータを読込み、ステップＳ４１にて体感パターンメモリ２５よりこのナビゲーションデータに対応した体感パターンを取込み、ステップＳ４２にてこの体感パターンに対応する体感パターンデータを体感パターンデータディスク等の記録媒体２４より取込んで、体感制御データを設定する。
【００８２】
そして、ステップＳ４３にて体感制御データを基に体感装置２７に体感制御信号を出力し、該当する体感要素をドライブユニットを介して駆動する。
【００８３】
このような構成としても、映像・音響に対応した体感を利用者に与えることができると共に、映像・音響の一次停止、巻戻し、早送り及びインタラクティブ機能（マルチアングル、マルチストーリー等）にも対応させることが可能である。
【００８４】
また、体感パターンを用いているので、映像・音響に対応した体感の設定時に各シーン毎に各体感要素すべてを設定する必要がなく、各シーンに対応した体感パターンを設定すればよいので、体感設定作業の効率化を図ることができる。
【００８５】
さらに、体感を発生しない場合、体感要素のすべてをＯＦＦとしたデータを用いることで、体感データ（パターン）の有無を確認する必要がないため、システム及び処理の簡素化を図り得る。
【００８６】
しかも、映像・音響と体感の連携をナビゲーションデータにより行なうため、体感データ設定時にナビゲーションデータを取込む必要がなく、作業の効率化、データ容量の削減が可能となる。
【００８７】
図１２は本発明による体感型映像音響システムの第８の実施形態における処理フロー図である。なお、体感型映像音響システムの構成は図１０と同様であり、また処理フローも図１１と同一処理ステップは同一符号を付してその説明を省略し、ここでは異なる処理ステップについて述べる。
【００８８】
第８の実施形態では、ステップＳ４０により映像・音響データと連動したナビゲーションデータを読込み、ステップＳ４１にて体感パターンメモリ２５よりこのナビゲーションデータに対応した体感パターンを取込んだ後、ステップＳ４１Ａにてこの体感パターンにおいて、ナビゲーションデータに対応した体感制御データの有無を確認する。
【００８９】
このステップＳ４１Ａで体感パターンが無いと判定されると、体感制御データを出力しない。また、体感バターンがあると判定されると、その体感制御データを出力し、ステップＳ４２にてナビゲーションデータと連動して読込まれた体感パターンより体感パターンデータに基づき対応する体感制御データを設定し、ステップＳ４３より体感制御データを基に体感装置２６に制御信号を出力し、該当する体感要素をドライブユニットを介して駆動制御する。
【００９０】
このような構成としても、映像・音響に対応した体感を利用者に与えることができると共に、映像・音響の一次停止、巻戻し、早送り及びインタラクティブ機能（マルチアングル、マルチストーリー等）にも対応させることが可能である。
【００９１】
また、体感パターンを用いているので、映像・音響に対応した体感の設定時に各シーン毎に各体感要素すべてを設定する必要がなく、各シーンに対応した体感パターンを設定すればよいので、体感設定作業の効率化を図ることができる。
【００９２】
さらに、体感を発生しない場合、体感データ（体感パターン）の設定が不要なので、必要な体感データを設定するだけでよいので、体感設定作業の効率化を図ることができると共に、データ容量も縮小化できる。
【００９３】
しかも、映像・音響と体感の連携をナビゲーションデータにより行なうため、体感データの設定時にナビゲーションデータを取込む必要がなく、作業の効率化、データ容量の削減が可能である。
【００９４】
【発明の効果】
以上述べたように本発明によれば、映像・音響との対応を多様化し、既存の映像・音響ソフトの利用、ＤＶＤ等のディジタル映像におけるインタラクティブな機能への対応を可能にして、映像・音響に対応した体感を利用者に与えることができる体感型映像音響システムを提供できる。
【図面の簡単な説明】
【図１】本発明による体感型映像音響システムの第１の実施形態を示すブロック回路構成図。
【図２】同実施の形態の体感型映像音響システムの処理フローを示す図。
【図３】本発明による体感型映像音響システムの第２の実施形態における処理フローを示す図。
【図４】本発明による体感型映像音響システムの第３の実施形態を示すブロック回路構成図。
【図５】同実施の形態の体感型映像音響システムの処理フローを示す図。
【図６】本発明による体感型映像音響システムの第４の実施形態における処理フローを示す図。
【図７】本発明による体感型映像音響システムの第５の実施形態を示すブロック回路構成図。
【図８】同実施の形態の体感型映像音響システムの処理フローを示す図。
【図９】本発明による体感型映像音響システムの第６の実施形態における処理フローを示す図。
【図１０】本発明による体感型映像音響システムの第７の実施形態を示すブロック回路構成図。
【図１１】同実施の形態の体感型映像音響システムの処理フローを示す図。
【図１２】本発明による体感型映像音響システムの第８の実施形態における処理フローを示す図。
【符号の説明】
１，１Ａ…映像・音響・体感制御データディスク等の記録媒体
２…体感パターンデータディスク等の記録媒体
３，３Ａ…制御装置
４，１１，２１…映像・音響再生装置
５，１２，２２…表示装置
６，１３，２３…音響装置
７，１６，２７…体感装置
１４…体感制御データディスク等の記録媒体
１５，２６…体感システム制御装置
２４…体感パターンデータディスク等の記録媒体
２５…体感パターンメモリ
【図１】
2004081357.tif 000003
【図２】
2004081357.tif 000004
【図３】
2004081357.tif 000005
【図４】
2004081357.tif 000006
【図５】
2004081357.tif 000007
【図６】
2004081357.tif 000008
【図７】
2004081357.tif 000009
【図８】
2004081357.tif 000010
【図９】
2004081357.tif 000011
【図１０】
2004081357.tif 000012
【図１１】
2004081357.tif 000013
【図１２】
2004081357.tif 000014